(57)【要約】      （修正有）【課題】防ダニ効果を提供するのに十分な量の安息香酸ベンジルを含む、安定な液体洗濯洗剤組成物の提供。【解決手段】液体洗剤組成物の総重量の１重量％〜２０重量％の安息香酸ベンジルと、０．０３重量％〜１重量％の非ポリマー結晶性ヒドロキシル含有構造化剤とを含む、防ダニ液体洗濯洗剤組成物。好ましくは安息香酸ベンジルが２％〜１５％、より好ましくは３％〜１０％であり、好ましくは非ポリマー結晶性ヒドロキシル含有構造化剤が硬化ヒマシ油である。【選択図】なし【特許請求の範囲】
【請求項１】
液体洗濯洗剤組成物であって、
（ａ）前記液体洗剤組成物の総重量の１％〜２０％の安息香酸ベンジルと、
（ｂ）前記液体洗剤組成物の総重量の０．０３％〜１％の非ポリマー結晶性ヒドロキシル含有構造化剤と、
を含む、液体洗濯洗剤組成物。
【請求項２】
前記液体洗剤組成物の総重量の２％〜１５％、好ましくは３％〜１０％の安息香酸ベンジルを含む、請求項１に記載の液体洗濯洗剤組成物。
【請求項３】
前記非ポリマー結晶性ヒドロキシル含有構造化剤が硬化ヒマシ油であり、好ましくは、前記非ポリマー結晶性ヒドロキシル含有構造化剤が、少なくとも５：１のアスペクト比及び少なくとも２０ナノメートルの針半径を有する非球状の細長い晶癖を有する結晶として存在する、請求項１又は２に記載の液体洗濯洗剤組成物。
【請求項４】
０．０４％〜０．８％、好ましくは０．１％〜０．５％の前記非ポリマー結晶性ヒドロキシル含有構造化剤を含む、請求項１〜３のいずれか一項に記載の液体洗濯洗剤組成物。
【請求項５】
前記非ポリマー結晶性ヒドロキシル含有構造化剤が、アニオン性界面活性剤を更に含む構造化プレミックス中に提供される、請求項１〜４のいずれか一項に記載の液体洗濯洗剤組成物。
【請求項６】
前記構造化プレミックスが、
（ｉ）前記構造化プレミックスの総重量の１％〜１０％、好ましくは２％〜８％、より好ましくは３％〜５％の前記非ポリマー結晶性ヒドロキシル含有構造化剤と、
（ｉｉ）前記構造化プレミックスの総重量の１％〜１０％、好ましくは２％〜８％、好ましくは３％〜５％のアルカノールアミンと、
（ｉｉｉ）前記構造化プレミックスの総重量の５％〜５０％、好ましくは１０％〜３０％、より好ましくは１２％〜２０％のＣ１０〜Ｃ２０直鎖アルキルベンゼンスルホン酸（ＨＬＡＳ）と、
（ｉｖ）水と
を含み、
前記アルカノールアミンが、前記ＨＬＡＳの電荷を少なくとも平衡化する量で存在し、
前記構造化プレミックスが、添加された無機カチオンを含まない、請求項５に記載の液体洗濯洗剤組成物。
【請求項７】
前記アルカノールアミンが、モノエタノールアミン、ジエタノールアミン、トリエタノールアミン、及びこれらの混合物からなる群から選択され、好ましくは、前記アルカノールアミンがモノエタノールアミンである、請求項６に記載の液体洗剤組成物。
【請求項８】
前記構造化プレミックスが、
（ｉ）前記構造化プレミックスの総重量の０．２％〜３５％、好ましくは２％〜２０％の前記非ポリマー結晶性ヒドロキシル含有構造化剤と、
（ｉｉ）前記構造化プレミックスの総重量の１％〜４５％、好ましくは８％〜２９％のＣ１０〜Ｃ２０アルキルサルフェートと、
（ｉｉｉ）水と、
を含む、請求項５に記載の液体洗剤組成物。
【請求項９】
（ｃ）前記液体洗剤組成物の総重量の５％〜４０％のアニオン性界面活性剤と、
（ｄ）前記液体洗剤組成物の総重量の２％〜２５％の非イオン性界面活性剤と、
（ｅ）前記液体洗剤組成物の総重量の０．５％〜１５％の脂肪酸と、
を更に含む、請求項１〜８のいずれか一項に記載の液体洗剤組成物。
【発明の詳細な説明】
【技術分野】
【０００１】
本発明は、液体洗濯洗剤組成物、好ましくは、防ダニ効果を提供するのに十分な量の安息香酸ベンジルを含む安定な液体洗濯洗剤組成物に関する。
【背景技術】
【０００２】
チリダニは、最も一般的な室内アレルゲンのうちの１つであり得る。チリダニは、すべてのぜんそく症例の５０〜８０パーセント、並びに湿疹、枯草熱、及び他のアレルギー反応の無数の症例に関与している可能性がある。チリダニは、布地、主にカーペット、家庭用室内装飾材料、マットレス、寝具、及び時には衣類に潜り込み、しがみついてはなれなくなる。
【０００３】
それに対応して、防ダニ効果を有する布地処理組成物を提供することが望ましい。安息香酸ベンジルなどの安息香酸エステルは、有効な防ダニ剤として知られている。しかしながら、安息香酸ベンジルは水に不溶性であるので、液体布地処理組成物、特に水性洗剤組成物に組み込むことは困難である。
【０００４】
一方で、安息香酸ベンジルは、比較的少量（例えば、１％未満）で使用されたとき、乳化して、水性洗剤組成物中に安定的に分散し得る比較的小さな液滴を形成することができる。しかしながら、このような少量の安息香酸ベンジルでは、所望の防ダニ効果を送達するのに十分ではない恐れがある。他方、所望の防ダニ効果を支援するためにより多くの量（例えば、１％以上）で使用されたとき、安息香酸ベンジルは凝固してより大きな液滴を形成する場合があり、これは、後で、経時的に及び／又はストレス条件下で水性洗剤組成物の相分離を引き起こす。
【発明の概要】
【発明が解決しようとする課題】
【０００５】
したがって、経時的に及び／又はストレス条件下で相安定性である、所望の防ダニ効果を送達するために十分に多量の安息香酸ベンジルを含有する液体洗剤組成物、特に水性洗濯洗剤組成物を提供することが必要とされている。
【課題を解決するための手段】
【０００６】
本発明は、液体洗剤組成物、好ましくは水性洗濯洗剤組成物であって、
（ａ）当該組成物の総重量の約１％〜約１０％、好ましくは約２％〜約８％、好ましくは約３％〜約６％の安息香酸ベンジルと、
（ｂ）当該組成物の総重量の約０．０３％〜約１％、好ましくは約０．０４％〜約０．８％、より好ましくは約０．１％〜約０．５％の非ポリマー結晶性ヒドロキシル含有構造化剤と、
を含む組成物を提供する。
【０００７】
好ましくは、当該非ポリマー結晶性ヒドロキシル含有構造化剤は、硬化ヒマシ油である。より好ましくは、当該非ポリマー結晶性ヒドロキシル含有構造化剤は、少なくとも約５：１のアスペクト比及び少なくとも約２０ナノメートルの針半径を有する非球状の細長い晶癖を有する結晶として存在する。
【０００８】
本発明の好ましいが必須ではない実施形態では、非ポリマー結晶性ヒドロキシル含有構造化剤は、アニオン性界面活性剤を更に含む構造化プレミックス中に提供される。
【０００９】
例えば、当該構造化プレミックスは、（ｉ）当該構造化プレミックスの総重量の約１％〜約１０％、好ましくは約２％〜約８％、より好ましくは約３％〜約５％の当該非ポリマー結晶性ヒドロキシル含有構造化剤と、（ｉｉ）当該構造化プレミックスの総重量の約１％〜約１０％、好ましくは約２％〜約８％、好ましくは約３％〜約５％のアルカノールアミンと、（ｉｉｉ）当該構造化プレミックスの総重量の約５％〜約５０％、好ましくは約１０％〜約３０％、より好ましくは約１２％〜約２０％のＣ１０〜Ｃ２０直鎖アルキルベンゼンスルホン酸（ＨＬＡＳ）と、（ｉｖ）水と、を含み得、当該アルカノールアミンは、ＨＬＡＳの電荷を少なくとも平衡化する量で存在し、当該構造化プレミックスは、添加された無機カチオンを含まない。好適なアルカノールアミンの例としては、モノエタノールアミン、ジエタノールアミン、トリエタノールアミン、及びこれらの混合物が挙げられる。好ましくは、アルカノールアミンは、モノエタノールアミンである。
【００１０】
別の例では、当該構造化プレミックスは、（ｉ）当該構造化プレミックスの総重量の約０．２％〜約３５％、好ましくは約２％〜約２０％の当該非ポリマー結晶性ヒドロキシル含有構造化剤と、（ｉｉ）当該構造化プレミックスの総重量の約１％〜約４５％、好ましくは約８％〜約２９％のＣ１０〜Ｃ２０アルキルサルフェートと、（ｉｉｉ）水と、を含む。
【００１１】
本発明の液体洗剤組成物は、
（ｃ）当該組成物の総重量の約５％〜約４０％のアニオン性界面活性剤と、
（ｄ）当該組成物の総重量の約２％〜約２５％の非イオン性界面活性剤と、
（ｅ）当該組成物の総重量の約０．５％〜約１５％の脂肪酸と、を更に含む、水性洗濯洗剤組成物である。
【００１２】
本発明のこれらの特徴及び他の特徴は、以下の詳細な説明を添付の特許請求の範囲と併せて検討することで当業者には明らかとなろう。
【発明を実施するための形態】
【００１３】
本明細書で使用する場合、「ａ」及び「ａｎ」なる冠詞は、特許請求の範囲において使用される場合、特許請求又は記載されるものの１つ以上を意味するものと理解される。
【００１４】
本明細書で使用するところの「ｃｏｍｐｒｉｓｉｎｇ」（含む）、「ｃｏｍｐｒｉｓｅｓ」（含む）、「ｉｎｃｌｕｄｅ」（含む）、「ｉｎｃｌｕｄｅｓ」（含む）及び「ｉｎｃｌｕｄｉｎｇ」（含む）は、非限定的であることを意味する。
【００１５】
本明細書で使用するところの「ｓｕｂｓｔａｎｔｉａｌｌｙ  ｆｒｅｅ  ｏｆ」（〜を実質的に含まない）又は「ｓｕｂｓｔａｎｔｉａｌｌｙ  ｆｒｅｅ  ｆｒｏｍ」（〜を実質的に含まない）なる用語は、示される物質が、約５重量％以下、好ましくは約２％重量以下、より好ましくは約１重量％以下の量で存在することを意味する。
【００１６】
本明細書で使用するところの「ｅｓｓｅｎｔｉａｌｌｙ  ｆｒｅｅ  ｏｆ」（〜を本質的に含まない）又は「ｅｓｓｅｎｔｉａｌｌｙ  ｆｒｅｅ  ｆｒｏｍ」（〜を本質的に含まない）なる用語は、示される物質が極めて少量であり、組成物に意図的に添加されたものでなく、又は好ましくは、そのような組成物中に分析によって検出可能な濃度で存在しないことを意味する。示される物質がかかる組成物に意図的に添加された物質のうちの１つ以上の不純物としてのみ存在するような組成物が含まれ得る。
【００１７】
本明細書で使用するとき、用語「液体」とは、２５℃及び２０秒−１のせん断速度で約１〜約２０００ｍＰａ＊ｓの粘度を有する液体を有する流体を指す。いくつかの実施形態では、液体の粘度は、２５℃、２０秒−１のせん断速度で、約２００〜約１０００ｍＰａ＊ｓの範囲であってよい。いくつかの実施形態では、液体の粘度は、２５℃、２０秒−１のせん断速度で、約２００〜約５００ｍＰａ＊ｓの範囲であってよい。
【００１８】
本明細書におけるすべての温度は、特に断らない限り、摂氏（℃）を単位とする。特に断らない限り、本明細書におけるすべての測定は、２５℃及び大気圧下で行う。本発明のすべての実施形態において、すべての比率（％）は、特に記載のない限り、全組成物の重量に対するものである。すべての比は、特に具体的に指定のない限り、重量比である。
【００１９】
本出願の試験方法の項に開示される試験方法を用いて、本明細書において説明されかつ特許請求される本出願者らの発明のパラメータの各々の値が測定されなければならない点が理解されよう。
【００２０】
安息香酸ベンジル
安息香酸ベンジルは、比較的高濃度、例えば、安息香酸ベンジルが配合される液体洗剤組成物の総重量の少なくとも約１％、好ましくは約１％〜約２０％、より好ましくは約２％〜約１５％、最も好ましくは約３％〜約１０％で使用されたとき、防ダニ効果を有することが知られている。
【００２１】
安息香酸ベンジルは水に不溶性であるので、水性混合物中で安定な分散体を維持するのに十分な溶媒と組み合わせることが好ましい。水性安息香酸ベンジル混合物は、水及び／又は溶媒中の安息香酸ベンジルのコロイド分散体のエマルションであり得る。
【００２２】
構造化剤及びそのプレミックス
安息香酸ベンジルは、安息香酸ベンジルのコロイド分散体を安定化させるための少なくとも１つの非ポリマー結晶性ヒドロキシル含有構造化剤を含有する液体洗剤組成物中に配合されることが特に好ましい。
【００２３】
このような非ポリマー結晶性ヒドロキシル含有構造化剤は、典型的には、以下からなる群から選択され得る：
【００２４】
【化１】
2020186378.tif 000002
（式中、Ｒ１は−Ｃ（Ｏ）Ｒ４であり、Ｒ２はＲ１又はＨであり、Ｒ３はＲ１又はＨであり、Ｒ４は、独立して、Ｃ１０〜Ｃ２２アルキル又は少なくとも１つのヒドロキシル基を含むアルケニルである）、
【００２５】
【化２】
2020186378.tif 000003
（式中、
【００２６】
【化３】
2020186378.tif 000004
Ｒ４は、ｉ）に定義したとおりであり、
Ｍは、Ｎａ＋、Ｋ＋、Ｍｇ＋＋、若しくはＡｌ３＋、又はＨである）、及び
ｉｉｉ）これらの混合物。
【００２７】
あるいは、非ポリマー結晶性ヒドロキシル含有安定化剤は、以下の式を有し得る：
【００２８】
【化４】
2020186378.tif 000005
式中、（ｘ＋ａ）は１１〜１７であり、（ｙ＋ｂ）は１１〜１７であり、（ｚ＋ｃ）は１１〜１７である。好ましくは、ｘ＝ｙ＝ｚ＝１０及び／又はａ＝ｂ＝ｃ＝５である。
【００２９】
最も好ましくは、構造化剤は、ヒマシ油、ヒマシ油誘導体、特に硬化ヒマシ油（hydrogenated castor oil、ＨＣＯ）誘導体、例えばヒマシワックス、及びこれらの混合物から選択される。非常に好ましいエステルとしては、１２−ヒドロキシオクタデカン酸のトリエステルが挙げられるが、モノ−及びジ−エステルが存在していてもよい。ヒドロキシル含有物質は、エトキシル化又はプロポキシル化された成分又は部分を有さないことが好ましい。市販の結晶性ヒドロキシル含有安定化剤としては、Ｒｈｅｏｘ，Ｉｎｃ．製のＴＨＩＸＣＩＮ（登録商標）が挙げられる。
【００３０】
理論に束縛されるものではないが、結晶性ヒドロキシル含有構造化剤は、液体マトリックス内で結晶化したときに糸状構造化ネットワークを形成する剤である。このネットワークは、ネットワークが形成される液体内の材料が合一及び／又は相分離する傾向を低減する。糸状構造化系は、マトリクスの冷却時にその場で繊維状の又はからみ合った糸状ネットワークを形成すると考えられる。糸状構造化系は、約１．５：１、好ましくは少なくとも約１０：１〜約２００：１の平均アスペクト比を有し得る。糸状構造化系は、系の加工が可能になる中間剪断範囲（５ｓ−１〜５０ｓ−１）で約２０００ｃｓｔｋ以下の粘度を有し、一方、０．１ｓ−１における生成物の低せん断粘度は、少なくとも約２０００ｃｓｔｋであり得るが、より好ましくは約２０，０００ｃｓｔｋ超であり得るように作製することができる。
【００３１】
本発明の好ましい実施形態では、結晶性ヒドロキシル含有構造化剤は、アニオン性界面活性剤を更に含む構造化プレミックスとして提供される。アニオン性界面活性剤は、系全体の任意の好適な重量パーセントで、本発明の構造化プレミックス中に存在し得る。理論に束縛されるものではないが、アニオン性界面活性剤は、ＨＣＯ及び同様に結晶化可能なグリセリドの溶解物の乳化剤として作用すると考えられる。本明細書で使用するとき、好ましい実施形態では、「アニオン性界面活性剤」は、石鹸及び脂肪酸を含まない。これらは、最終的な洗濯洗剤組成物中には存在していてもよいが、一般的に、硬化ヒマシ油のグリセリドの限定された加水分解から生じ得る限られた量の１２−ヒドロキシステアリン酸以外は、構造化プレミックス中に意図的には含まれない。全体的な処方を説明する目的上、「石鹸」及び「脂肪酸」は、ビルダーとして説明される。その他の点では、任意の好適なアニオン性界面活性剤が、本発明の構造化プレミックスで使用される。
【００３２】
本明細書における構造化プレミックスに好ましいアニオン性界面活性剤は、いわゆる「低クラフト温度」を有する。本明細書で使用するとき、用語「クラフト温度」は、界面活性剤科学の分野の研究者に周知の専門用語である。本目的における「クラフト温度」は、単一の鎖長を有するアニオン性界面活性剤のナトリウム塩を取り、その界面活性剤の１重量％溶液の透明化温度を測定することによって測定される。別の周知の専門技術としては、示差走査熱量測定法（Differential Scanning Calorimetry、ＤＳＣ）が挙げられる。本発明の好ましい実施形態は、対応するナトリウム塩のクラフト温度が約５０℃未満、より好ましくは約４０℃未満、更により好ましくは約３０℃未満、又は約２０℃未満、又は０℃未満であるアニオン性界面活性剤を含有する構造化プレミックスを使用する。
【００３３】
本明細書で使用するのに好適なアニオン性界面活性剤の非限定的な例としては、直鎖アルキルベンゼンスルホネート（ＬＡＳ）、アルキルサルフェート（ＡＳ）、アルキルエトキシル化スルホネート（ＡＥＳ）、ラウレスサルフェート、及びこれらの混合物が挙げられる。いくつかの実施形態では、アニオン性界面活性剤は、約５％〜約５０％の濃度で構造化プレミックス中に存在し得る。しかしながら、構造化プレミックスの約２５重量％を超えるアニオン性界面活性剤を使用するとき、典型的には、水の他に有機溶媒を用いて界面活性剤を希釈する必要があることに留意すべきである。
【００３４】
更に、構造化プレミックスのためのアニオン性界面活性剤を選択し、この目的のためにアルキルベンゼンスルホネート界面活性剤が選択されたとき、（１）ＨＦプロセスによって得られる直鎖アルキルベンゼンから選択されるアルキルベンゼンスルホネート及び／又は（２）中鎖分枝状ＬＡＳ（可変量のメチル側鎖を有する）のいずれかを使用することが好ましい。他の好ましいＬＡＳの供給源としては、（３）Ｃｅｐｓａ  ＬＡＢから入手可能なもの及び（４）ＵＯＰ  ＬＡＢから入手可能なものが挙げられる。対照的に、ＤＥＴＡＬ（商標）プロセス（ＵＯＰ，ＬＬＣ、Ｄｅｓ  Ｐｌａｉｎｅｓ，ＩＬ）プロセスから得られるＬＡＳ及び／又はＨｕｎｔｓｍａｎによって教示されているような高い２−フェニル含量を有するＬＡＳは、構造化プレミックスへの使用を避けることが好ましいが、これらは最終的な洗濯洗剤組成物には組み込まれていてもよい。理論によって限定されることを意図するものではないが、過剰な２−フェニル異性体含量はＬＡＳの不所望に高い融解温度につながる。
【００３５】
例えば、構造化プレミックスは、少なくとも部分的に低級アルカノールアミンで中和された直鎖状アルキルベンゼンスルホネート（ＬＡＳ）を含む水性媒体中に上述の非ポリマー結晶性ヒドロキシル含有構造剤（ＨＣＯが挙げられるがこれらに限定されない）の溶融物を含んでいてもよい。当該非ポリマー結晶性ヒドロキシル含有構造剤の溶融物は、エマルション又はマイクロエマルションの形態であり、ＬＡＳが乳化剤として作用する。明瞭化のために、「アルカノールアミンで中和した」とは、アニオン性界面活性剤ＬＡＳの対イオンが、アルカノールアミンのカチオン性を帯びたもの又はカチオンであることを意味するものと理解されたい。このアルカノールアミンは、溶媒又は緩衝剤として作用していない。エマルションを冷却して構造化剤を結晶化させる。これによって、アルカノールアミンを含有し、ナトリウムを含まないプレミックスの形態の外部構造化剤が得られ、これは、商品として輸送することもでき、又は液体洗濯洗剤組成物の残部に直接添加することもできる。この実施形態では、アニオン性界面活性剤は、ナトリウムで中和された形態では使用されず、より一般的には、アニオン性界面活性剤は、ナトリウム、カリウム、リチウム、マグネシウム、又はカルシウムの塩などの任意の一価又は二価の無機カチオン塩の形態では使用されない。好ましくは、本明細書における構造化プレミックス及び洗濯洗剤は、約５％、２％、又は１％未満のナトリウム又はカリウムなどの一価の無機カチオンを含む。好ましい実施形態では、構造化プレミックスにはどんなものであっても一価及び／又は二価の無機金属イオンは全体として一切加えられず（すなわち０％）、構造化プレミックスの作製において石鹸は意図的には加えられない。換言すれば、構造化プレミックスは、一価及び／又は二価の無機金属イオンを実質的に含まない。本発明の特に好ましい実施形態では、構造化プレミックスは、
（ｉ）当該構造化プレミックスの総重量の約１重量％〜約１０重量％、好ましくは約２重量％〜約８重量％、より好ましくは約３重量％〜約５重量％の当該非ポリマー結晶性ヒドロキシル含有構造化剤と、
（ｉｉ）当該構造化プレミックスの総重量の約１重量％〜約１０重量％、好ましくは約２重量％〜約８重量％、より好ましくは約３重量％〜約５重量％のアルカノールアミンと、
（ｉｉｉ）当該構造化プレミックスの総重量の約５重量％〜約５０重量％、好ましくは約１０重量％〜約３０重量％、より好ましくは約１２重量％〜約２０重量％のＣ１０〜Ｃ２０直鎖アルキルベンゼンスルホン酸（ＨＬＡＳ）と、
（ｉｖ）水と
を含み得、
当該アルカノールアミンは、ＨＬＡＳの電荷を少なくとも平衡化する量で存在し、当該構造化プレミックスは、添加された無機カチオンを含まない。
【００３６】
アルカノールアミンは、上記の構造化プレミックスの必須成分である。理論に束縛されるものではないが、アルカノールアミンは、アニオン性界面活性剤の酸性化学種と反応して、アルカノールアミンで中和されたアニオン性界面活性剤を形成すると考えられる。したがって、アルカノールアミンは、アルカノールアミンと酸性型アニオン性界面活性剤、例えばＨＬＡＳとをｉｎ  ｓｉｔｕでプレミックス中で混ぜ合わせることによるか、又はＨＬＡＳをアルカノールアミンで別個に中和し、中性のアルカノールアミン−ＬＡＳをプレミックスに加えることによるなどのいずれかの他の好適な手段によって、プレミックス中に導入できる。しかしながら、いくつかの実施形態では、アルカノールアミンが、本発明の構造化プレミックス中に、酸形態のアニオン性界面活性剤を中和するのに必要な量よりも化学量論的に過剰に存在するのが望ましい場合がある。このような実施形態では、アルカノールアミンは、乳化界面活性剤の一部としての作用と、緩衝剤としての作用という、二重の目的を果たし得る。
【００３７】
一般に、任意の好適なアルカノールアミン又はアルカノールアミンの混合物を本発明で使用することができる。好適なアルカノールアミンは、低級アルカノールモノ−、ジ−、及びトリアルカノールアミン、例えば、モノエタノールアミン、ジエタノールアミン、又はトリエタノールアミンから選択され得る。高級なアルカノールアミンほど分子量が大きく、本目的にとっては質量効率（mass efficiency）が低くなることがある。質量効率の理由から、モノアルカノールアミン及びジアルカノールアミンが好ましい。モノエタノールアミンが特に好ましいが、特定の実施形態では、トリエタノールアミンなどの更なるアルカノールアミンが緩衝剤として有用である場合がある。更に、本発明のいくつかの実施形態では、例えば、溶解性、緩衝、洗浄液中の塩素の管理などの既知の目的のために及び／又は洗濯洗剤製品における酵素の安定化のために、構造化プレミックスで使用されるアリコート以外のアニオン性界面活性剤のアルカノールアミン塩を最終的な洗剤製剤に別個に加えてもよいと想定される。
【００３８】
別の例では、構造化プレミックスは、乳化剤として添加されるアルキルサルフェート界面活性剤を含む水性媒体中に上述の非ポリマー結晶性ヒドロキシル含有構造剤（ＨＣＯが挙げられるが、これらに限定されない）の溶融物を含んでいてもよい。アルキルサルフェート界面活性剤は、好ましくは、界面活性剤の臨界ミセル濃度（ｃ．ｍ．ｃ）を超える濃度で添加される。非ポリマー結晶性ヒドロキシル含有構造化剤が、これらのミセルを含有する水相に乳化されると、非ポリマー結晶性ヒドロキシル含有構造化剤の一部がミセルに移動して、ミセルによって安定化される液滴を形成する。アルキルサルフェート界面活性剤は、構造化プレミックスの約１重量％〜約４５重量％、好ましくは約４重量％〜約３７重量％、より好ましくは約８重量％〜約２９重量％、最も好ましくは約８重量％〜約２４重量％の濃度で構造化プレミックス中に存在していてよい。界面活性剤のアニオンの重量パーセントに基づいて、アルキルサルフェート界面活性剤の重量パーセントを測定する。すなわち、対イオンを除く。構造化プレミックスの約２５重量％を超えるアニオン性界面活性剤を使用するとき、水の他に有機溶媒を用いて界面活性剤を希釈することが好ましい。
【００３９】
好ましいアルキルサルフェート界面活性剤は、Ｃ１０〜Ｃ２０アルキルサルフェート、及びこれらの混合物、好ましくは、Ｃ１０〜Ｃ１８アルキルサルフェート、及びこれらの混合物、より好ましくは、Ｃ１２〜Ｃ１４アルキルサルフェート、及びこれらの混合物、最も好ましくは、ドデシル硫酸ナトリウムからなる群から選択される。アルキルサルフェート界面活性剤は、好ましくは、エトキシル化されていない、プロポキシル化されていない、又はこれらの組み合わせである。アルキルサルフェート界面活性剤は、典型的には、アルカノールアミン又はナトリウム及びカリウムなどのアルカリ金属との塩の形態で存在する。好ましくは、アルキルサルフェート界面活性剤は、アルカノールアミン、例えば、モノエタノールアミン又はトリエタノールアミンで中和され、連続相に完全に可溶性である。
【００４０】
本発明の特に好ましい実施形態では、構造化プレミックスは、
（ｉ）当該構造化プレミックスの総重量の約０．２重量％〜約３５重量％、好ましくは約２重量％〜約２０重量％の当該非ポリマー結晶性ヒドロキシル含有構造化剤と、
（ｉｉ）当該構造化プレミックスの総重量の約１重量％〜約４５重量％、好ましくは約８重量％〜約２９重量％のＣ１０〜Ｃ２０アルキルサルフェートと、
（ｉｉｉ）水と、
を含み得る。
【００４１】
他の成分
安息香酸ベンジル及び上記の非ポリマー結晶性ヒドロキシル含有構造化剤に加えて、本発明の液体洗剤組成物は、界面活性剤、酵素、蛍光増白剤、移染防止剤、抑泡剤、洗浄性汚れ放出ポリマー、他の有益剤、及びこれらの補助剤の種類の組み合わせからなる群から選択される１つ以上の洗浄性活性物質を含んでいてよい。これらの物質はすべて、洗剤製品、特に洗濯洗剤製品において従来利用されている種類のものである。しかしながら、これらは、本発明の組成物を介すると特に有効に、水性洗浄液に、及び／又は当該洗浄液中で洗濯される布地に供給することができる。
【００４２】
本明細書における液体洗剤組成物は、本質的に、約５重量％〜約７０重量％、好ましくは約７重量％〜約６５重量％、より好ましくは約１０重量％〜約５０重量％の、特定の種類の洗浄性界面活性剤成分を含有する。このような必須の洗浄性界面活性剤成分は、アニオン性界面活性剤、非イオン性界面活性剤、又はこれらの２つの界面活性剤の種類の組み合わせを含んでいなければならない。
【００４３】
本明細書で有用な好適なアニオン性界面活性剤は、構造化プレミックス中の構造化剤を乳化するために、上述のものを含む、液体洗剤製品で典型的に使用されている従来のアニオン性界面活性剤の種類のいずれかを含んでいてよい。
【００４４】
本明細書で有用である好適な非イオン性界面活性剤は、液体洗剤製品で典型的に使用される従来の非イオン性界面活性剤のいかなる種類をも含むことができる。これらとしては、アルコキシル化脂肪族アルコール、エチレンオキシド（ＥＯ）−プロピレンオキシド（ＰＯ）ブロックポリマー及びアミンオキシド界面活性剤が挙げられる。本明細書で液体洗剤製品で用いるのに好ましいのは、通常は液体である非イオン性界面活性剤である。
【００４５】
本明細書で使用するのに好ましい非イオン性界面活性剤としては、アルコールアルコシキレート非イオン性界面活性剤が挙げられる。アルコールアルコキシレートは、一般式：
Ｒ１（ＣｍＨ２ｍＯ）ｎＯＨ
（式中、Ｒ１はＣ８〜Ｃ１６アルキル基であり、ｍは約２〜約４であり、ｎは約２〜約１２の範囲である）に対応する物質である。好ましくは、Ｒ１は、約９個〜約１５個の炭素原子、より好ましくは約１０個〜約１４個の炭素原子を含有する、一級であっても二級であってもよいアルキル基である。好ましくは、アルコキシル化脂肪族アルコールも、１分子当たり約２個〜１２個のエチレンオキシド部分、より好ましくは１分子当たり約３個〜約１０個のエチレンオキシド部分を含有するエトキシル化物質である。好適なアルコキシル化脂肪族アルコール非イオン性界面活性剤は、Ｓｈｅｌｌ  Ｃｈｅｍｉｃａｌ  Ｃｏｍｐａｎｙによって商品名Ｎｅｏｄｏｌ（登録商標）及びＤｏｂａｎｏｌ（登録商標）として販売されている。
【００４６】
本発明の組成物で利用することができる別の種類の非イオン性界面活性剤は、エチレンオキシド（ＥＯ）−プロピレンオキシド（ＰＯ）ブロックポリマーを含む。このタイプの物質は、商品名Ｐｌｕｒｏｎｉｃで市販されている周知の非イオン性界面活性剤である。これらの物質は、エチレンオキシド部分のブロックをポリプロピレングリコール鎖の末端に付加して、得られるブロックポリマーの界面活性特性を調整することにより、形成される。
【００４７】
本明細書で有用な非イオン性界面活性剤の更に別の好適なタイプは、アミンオキシド界面活性剤を含む。アミンオキシドは、しばしば当該技術分野において「半極性」非イオン性物質と呼ばれる物質である。アミンオキシドは、式：Ｒ（ＥＯ）ｘ（ＰＯ）ｙ（ＢＯ）ｚＮ（Ｏ）（ＣＨ２Ｒ’）２．ｑＨ２Ｏを有する。この式中、Ｒは、飽和又は不飽和、直鎖又は分岐鎖であり得る比較的長鎖のヒドロカルビル部分であり、約８個〜約２０個、好ましくは約１０個〜約１６個の炭素原子を含有していてよく、より好ましくはＣ１２〜Ｃ１６一級アルキルである。Ｒ’は、好ましくは水素、メチル及び−ＣＨ２ＯＨから選択される短鎖部分である。ｘ＋ｙ＋ｚが０とは異なる場合、ＥＯは、エチレンオキシ、ＰＯは、プロピレンオキシ（propyleneneoxy）、ＢＯは、ブチレンオキシである。アミンオキシド界面活性剤は、Ｃ１２〜１４アルキルジメチルアミンオキシドで示される。
【００４８】
本明細書における液体洗剤組成物において、必須の洗浄性界面活性剤成分は、アニオン性界面活性剤物質と非イオン性界面活性剤物質との組み合わせを含んでいてよい。このような場合、アニオン性の非イオン性に対する重量比は、典型的には、約１００：１〜約１：１００、より典型的には約２０：１〜約１：２０の範囲である。本発明の特に好ましい実施形態では、液体洗剤組成物は、（上記の安息香酸ベンジル及び構造化剤に加えて）：
（ｃ）当該組成物の総重量の約５％〜約４０％のアニオン性界面活性剤と、
（ｄ）当該組成物の総重量の約２％〜約２５％の非イオン性界面活性剤と、
（ｅ）当該組成物の総重量の約０．５％〜約１５％の脂肪酸と、を更に含む。
【００４９】
本明細書における液体洗濯洗剤組成物は、洗浄性能及び／又は布地ケア効果をもたらす１つ以上の洗浄性酵素を含んでいてもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、マンナーゼ？、ペントサナーゼ、マラナーゼ、β−グルカナーゼ、アラビノシダーゼ、ヒアルロニダーゼ、コンドロイチナーゼ、ラッカーゼ、及び既知のアミラーゼ、又はこれらの組み合わせが挙げられるが、これらに限定されない。好ましい酵素の組み合わせは、アミラーゼと併せて、プロテアーゼ、リパーゼ、クチナーゼ及び／又はセルラーゼのような従来の洗浄性酵素のカクテルを含む。使用する場合、酵素は、通常、組成物１グラム当たり最大約１０ｍｇ、より典型的には約０．０１ｍｇ〜約５ｍｇの重量の活性酵素を提供するのに十分な濃度で本明細書における液体洗濯洗剤組成物中に組み込まれる。言い換えれば、本明細書における水性液体洗剤組成物は、典型的には、約０．００１重量％〜約５重量％、好ましくは約０．０１重量％〜約１重量％の市販の酵素調製物を含んでいてよい。例えば、プロテアーゼ酵素は、通常、このような市販の調製物中に、洗剤組成物１ｇ当たり約０．００５〜約０．１アンソン単位（ＡＵ）の活性をもたらすのに十分な濃度で存在する。
【００５０】
本明細書における液体洗濯洗剤組成物は、布地処理効果を提供する１つ以上の光学的光沢剤を含んでいてよい。蛍光増白剤（ＦＷＡ）としても知られているこのような材料は、一般に、洗濯される布地又は衣類上に付着し、このように処理される基材の光学的特性又は色度の特性を変化させる。好ましい光学的光沢剤の性質は、アニオン性である。多くはスチルベン誘導体である。使用する場合、光学的光沢剤は、典型的には、約０．０１重量％〜約１重量％、好ましくは約０．０５重量％〜約０．５重量％の範囲の濃度で、本明細書における液体洗濯洗剤組成物に組み込まれる。
【００５１】
本明細書における液体洗濯洗剤組成物は、有色布地の望ましい洗濯を可能にする１つ以上の移染防止剤を含んでいてもよい。好適なポリマー移染防止剤としては、ポリビニルピロリドンポリマー、ポリアミンＮ−オキシドポリマー、Ｎ−ビニルピロリドン及びＮ−ビニルイミダゾールのコポリマー、ポリビニルオキサゾリドン、並びにポリビニルイミダゾール、又はこれらの混合物が挙げられるが、これらに限定されない。使用する場合、移染防止剤は、典型的には、約０．０００１重量％、より好ましくは約０．０１重量％、最も好ましくは約０．０３％重量％〜約１０重量％、より好ましくは約２重量％、最も好ましくは約１重量％の範囲の濃度で本明細書における液体洗濯洗剤組成物に組み込まれる。
【００５２】
本明細書における液体洗濯洗剤組成物は、自動洗濯機で布地を洗濯するために使用されたときに、本明細書における組成物の過剰な泡立ちを最小限に抑えるために抑泡剤として作用する１つ以上の材料を含んでいてもよい。多くの場合、抑泡剤系は、シリコーン又はシリカ−シリコーンの組み合わせに基づく。使用する場合、抑泡剤は、典型的には、約０．００１重量％〜約２重量％の範囲の濃度で本明細書における液体洗濯洗剤組成物に組み込まれる。より好ましくは、抑泡剤は、本明細書における組成物の約０．０１重量％〜約１重量％を構成し得る。
【００５３】
本明細書における液体洗濯洗剤組成物は、布地処理効果を提供する１つ以上の洗浄性汚れ放出ポリマーを含んでいてもよい。本発明において有用なポリマー汚れ放出剤としては、テレフタレートとポリエチレンオキシド又はポリプロピレンオキシドとのコポリマーブロックなどが挙げられる。好ましい汚れ放出剤は、テレフタレートとポリエチレンオキシドとのブロックを有するコポリマーである。より具体的には、これらのポリマーは、約２５：７５〜約３５：６５のエチレンテレフタレート単位のポリエチレンオキシドテレフタレート単位に対するモル比で、エチレン及び／又はプロピレンテレフタレートとポリエチレンオキシドテレフタレートとの繰り返し単位で構成される。このポリエチレンオキシドテレフタレートは、約３００〜約２０００の分子量を有するポリエチレンオキシドブロックを含有する。このポリマー汚れ放出剤の分子量は、約５，０００〜約５５，０００の範囲である。使用する場合、汚れ放出ポリマーは、典型的には、当該組成物の約０．０１重量％〜約１０重量％、より好ましくは約０．１重量％〜約５重量％の範囲の濃度で、本明細書における液体洗濯洗剤組成物に組み込まれる。
【００５４】
上記の成分に加えて、本明細書における組成物の洗濯洗浄補助成分は、洗濯される布地に付着し得、当該布地に１種以上の布地ケア又は処理効果を提供する、追加の有益剤も含んでいてもよい。このような効果としては、例えば、布地の柔軟性、静電気防止効果、アイロンを容易にする効果、摩擦防止効果、毛玉防止効果、色の保護、しわの除去又はしわに対する改善された耐性、布地の実質的香り又はにおいの効果、悪臭保護効果などを挙げることができる。使用する場合、このような追加の布地ケア有益剤ポリマーは、典型的には、付着する材料の性質及び当該ポリマーが提供することになる効果に応じて、約０．０５重量％〜約２０重量％の範囲の濃度で本明細書における液体洗濯洗剤組成物に組み込むことができる。より好ましくは、このような布地ケア有益剤は、組成物の約０．１重量％〜約１０重量％を構成し得る。
【実施例】
【００５５】
実施例１：様々な濃度のＨＣＯ含有構造化プレミックスと共に安息香酸ベンジル（ＢＢ）を含有する液体洗濯洗剤組成物の相安定性を示す比較例
まず、以下の成分を含有する構造化プレミックスを形成する。
【００５６】
【表１】
2020186378.tif 000006
【００５７】
次いで、様々な濃度のこのようなＨＣＯ含有構造化プレミックスを、以下のように、３％安息香酸ベンジル（ＢＢ）と共に、それぞれの液体洗濯洗剤組成物（Ａ）〜（Ｉ）に配合する。
【００５８】
【表２】
2020186378.tif 000007
＊その他の成分としては、ビルダー、キレート剤、染料、酵素、溶媒、抑泡剤、香料などが挙げられる。
【００５９】
次いで、上記の液体洗濯洗剤組成物（Ａ）〜（Ｉ）のそれぞれの相安定性を、以下の工程に従って試験する。
・１５〜４０ｍＬのサンプル液体洗濯洗剤組成物を２０〜４０ｍＬの透明ガラス瓶に投入する。
・安定性試験のためにガラス瓶を低温（−５℃、−３℃、０℃）オーブンに入れる。
・任意の異なる時点（例えば、１、８、１２、１３週間）におけるサンプルの外観を検査する。
・低温オーブンからサンプルを取り出し、サンプル温度を室温（約２５℃）に戻すために放置する。サンプル温度は、典型的には、サンプルを低温オーブンから取り出した後、６〜２４時間以内に戻る。
・通常の電灯光下でサンプルの外観を検査する。
・特定のサンプルが、均質に見えかつ新たに作製されたサンプルと等方性である場合、相安定性試験について「合格」と記録する。サンプルが、内部に小さな油滴を示すか、又は大きな油凝集体を示すか、又は二相への完全な分離を示す場合、相安定性試験について「不合格」と記録する。
【００６０】
以下は、液体洗濯洗剤組成物（Ａ）〜（Ｉ）について記録された相安定性の結果である。
【００６１】
【表３】
2020186378.tif 000008
＊サンプルの作製及びサンプリングのばらつきによって生じたものである可能性のある、油滴の存在がかすかに観察される。
【００６２】
様々なＨＣＯ濃度が、３％ＢＢ含有液体洗濯洗剤組成物の相安定性に対して影響を示す。上記と同様のサンプルがＨＣＯを実質的に含まないとき（ここには示さない）、室温でさえも相安定性ではなく、室温で１６時間後に白い凝集塊を示し始める。しかしながら、サンプルが０．０３％を超える濃度のＨＣＯを含有するとき、これは−３℃で１２週間にわたって相安定性である。ＨＣＯ濃度が０．０４％を超えたとき、サンプルは−５℃で１３週間にわたって相安定性である。
【００６３】
更に、ＢＢは、上記のサンプル中で界面活性剤と液晶を形成し得る。液晶のサイズは、サンプルの相安定性と相関する。典型的には、液晶のサイズが小さいほど、相安定性が良好である。このような液晶は、以下のように顕微鏡下で視認可能である。
・３．０ｍＬのドロッパを使用して、１滴のサンプルをガラススライド上に適用する。
・サンプル滴の上のガラススライド上にカバースリップを載せる。
・偏光顕微鏡（Ｏｌｙｍｐｕｓ  ＥＸ５１）下でガラススライドを観察する。
・サンプル滴中の液晶（ラメラ相）を特定し、偏光顕微鏡を通常の光学顕微鏡に交換する。
・２０Ｘ倍率のスケールを追加し、サンプルの写真を捕捉する。
【００６４】
次いで、サンプルの写真から液晶サイズを観察することができる。以下は、いくつかの上述の液体洗濯洗剤組成物について観察された液晶サイズである。
【００６５】
【表４】
2020186378.tif 000009
【００６６】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００６７】
相互参照される又は関連するすべての特許又は特許出願、及び本願が優先権又はその利益を主張する任意の特許出願又は特許を含む、本願に引用されるすべての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明すべてを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００６８】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのようなすべての変更及び修正を添付の特許請求の範囲に網羅することが意図されている。
【外国語明細書】
2020186378.tif 000010
2020186378.tif 000011
2020186378.tif 000012
2020186378.tif 000013
2020186378.tif 000014
2020186378.tif 000015
2020186378.tif 000016
2020186378.tif 000017
2020186378.tif 000018
2020186378.tif 000019
2020186378.tif 000020
2020186378.tif 000021
2020186378.tif 000022
2020186378.tif 000023
2020186378.tif 000024
2020186378.tif 000025
2020186378.tif 000026
2020186378.tif 000027